(57)【特許請求の範囲】
【請求項１】
第１辺と第２辺とのなす角度が鈍角である平面視略多角形状の太陽電池モジュールの梱包材であって、
前記第１辺および前記第２辺に沿った第１主面の縁部を覆う第１壁部と、
前記第１辺および前記第２辺に沿った第２主面の縁部を覆う第２壁部と、
前記第１壁部と前記第２壁部との間に設けられ、前記太陽電池モジュールの側面を覆う側壁部と、
を備え、
前記第１壁部および前記第２壁部には、前記第１辺と前記第２辺とが形成する第１角部に対応する位置の全幅に亘って切り込みが形成されており、
前記切り込みは、前記第１壁部および前記第２壁部の長手方向に対する傾斜角をαとし、前記太陽電池モジュールの前記第１辺および前記第２辺のなす角度をβとしたときに、α＝１８０°−βの関係を満たしている、
太陽電池モジュールの梱包材。
【請求項２】
前記太陽電池モジュールは、前記第１辺となす角度が鈍角である第３辺を有する太陽電池モジュールであって、
前記第１壁部および前記第２壁部には、前記第１辺と前記第３辺とが形成する第２角部に対応する位置に全幅に亘って切り込みが形成されている、
請求項１に記載の太陽電池モジュールの梱包材。
【請求項３】
前記第２壁部は前記第１辺に沿う第１部分または前記第２辺に沿う第２部分のうち、前記第２部分に舌片状の突出部が設けられており、前記第１部分に前記側壁部を折り曲げたときに前記突出部を差し込んで固定する差し込み口が設けられている、
請求項１又は２に記載の太陽電池モジュールの梱包材。
【請求項４】
第１辺と第２辺とのなす角度が鈍角である平面視略多角形状の太陽電池モジュールの梱包材であって、
前記第１辺および前記第２辺に沿った第１主面の縁部を覆う第１壁部と、
前記第１辺および前記第２辺に沿った第２主面の縁部を覆う第２壁部と、
前記第１壁部と前記第２壁部との間に設けられ、前記太陽電池モジュールの側面を覆う側壁部と、
を備え、
前記第１壁部および前記第２壁部には、前記第１辺と前記第２辺とが形成する第１角部に対応する位置の全幅に亘って切り込みが形成されており、
前記太陽電池モジュールは、前記第１辺となす角度が鈍角である第３辺を有する太陽電池モジュールであって、
前記第１壁部および前記第２壁部には、前記第１辺と前記第３辺とが形成する第２角部に対応する位置に全幅に亘って切り込みが形成されており、
前記太陽電池モジュールは、前記第３辺の他端と連結する第４辺と、前記第１辺と反対側の第３角部で前記第２辺と連結する第５辺を有する太陽電池モジュールであって、
前記第１壁部は、前記切り込みにより前記第１辺に沿う第１部分と分離された前記第２辺に沿う第２部分に隣接する第１固定片と、前記切り込みにより前記第１辺に沿う第１部分と分離された前記第３辺に沿う第３部分に隣接する第２固定片とを有し、
前記第１固定片は前記第５辺を包み込むように折り曲げた状態で前記第２壁部に固定可能に形成され、前記第２固定片は前記第４辺を包み込むように折り曲げた状態で前記第２壁部に固定可能に形成されている、
太陽電池モジュールの梱包材。
【発明の詳細な説明】
【技術分野】
【０００１】
本開示は、太陽電池モジュールの梱包材に関する。
【背景技術】
【０００２】
太陽電池モジュールは、製品の損傷を防止するため梱包材によって梱包された状態で運搬・保管される（例えば、特許文献１参照）。特許文献１に開示されるように、太陽電池モジュールは平面視略矩形形状を呈するものが一般的であるが、例えば、寄棟屋根、方形屋根等に矩形形状の太陽電池モジュールを設置すると、屋根の桁方向の端部近傍にモジュールを設置できないスペースが形成される。このモジュールを設置できないスペースを減らすために、例えば、平面視略五角形状等の太陽電池モジュールが開発されている。
【先行技術文献】
【特許文献】
【０００３】
【特許文献１】特開２０１４−９８５号公報
【発明の概要】
【発明が解決しようとする課題】
【０００４】
ところで、平面視略矩形形状の太陽電池モジュールでは、角部が略直角であるため、開口端を有する箱状の梱包材を太陽電池モジュールの辺に沿って取り付けることで角部も一緒に梱包することが可能である。しかし、例えば、平面視略五角形状の太陽電池モジュールの鈍角をなす角部は上記のような箱状の梱包材によって太陽電池モジュールの辺と一緒に梱包することができない。このため、太陽電池モジュールの鈍角をなす角部と、当該角部を構成する辺とを異なる梱包材で梱包する必要があり、梱包材の部品点数が増加し、梱包材の製造コストが増加するという問題がある。
【課題を解決するための手段】
【０００５】
本開示の一態様である太陽電池モジュールの梱包材は、第１辺と第２辺とのなす角度が鈍角である平面視略多角形状の太陽電池モジュールの梱包材であって、第１辺および第２辺に沿った第１主面の縁部を覆う第１壁部と、第１辺および第２辺に沿った第２主面の縁部を覆う第２壁部と、第１壁部と第２壁部との間に設けられ、太陽電池モジュールの側面を覆う側壁部と、を備え、第１壁部および第２壁部には、第１辺と第２辺とが形成する第１角部に対応する位置の全幅に亘って切り込みが形成されている。
【発明の効果】
【０００６】
本開示の一態様である太陽電池モジュールの梱包材によれば、互いのなす角度が鈍角である太陽電池モジュールの２つの辺を１つの梱包材で梱包することができ、梱包材の部品点数を低減できる。
【図面の簡単な説明】
【０００７】
【図１】実施形態の一例である梱包材によって梱包された太陽電池モジュールの受光面側の状態を示す斜視図である。
【図２】図１に示す梱包材によって梱包された太陽電池モジュールの裏面側の構成を示す斜視図である。
【図３】図１に含まれる太陽電池モジュールの外観を示す図である。
【図４】実施形態の一例である梱包材を展開させた状態を示す図である。
【図５】図２に示す領域Ａの部分拡大図である。
【図６】図２に示す領域Ａにおける第１壁部の折り曲げ方法を模式的に示す図である。
【図７】図２に示す領域Ａにおける第２壁部の折り曲げ方法を模式的に示す図である。
【図８】図４に示す梱包材の太陽電池モジュールへの取り付け手順を示す図である。
【発明を実施するための形態】
【０００８】
以下、実施形態の一例について添付図面を参照しながら詳細に説明する。図面はいずれも模式的に記載されたものであり、図面に描画された構成要素の寸法比率などは以下の説明を参酌して判断されるべきである。なお、以下で説明する複数の実施形態を適宜組み合わせることは当初から想定されている。
【０００９】
本明細書において、太陽電池モジュールの「受光面」とは太陽光が主に入射（５０％超過）する面を意味し、「裏面」とは受光面と反対側の面を意味する。また、「略＊＊」との用語は、略同一を例に説明すると、完全に同一はもとより、実質的に同一と認められるものを含む意図である。「端部」の用語は、対象物の端およびその近傍を意味するものである。
【００１０】
図１〜図３を参照しながら、実施形態の一例である太陽電池モジュール１０の梱包材２０について以下詳細に説明する。図１は、本実施形態の梱包材２０によって梱包された太陽電池モジュール１０の受光面Ｐ（第１主面）の方から見た状態を示す斜視図である。図２は、図１に示す太陽電池モジュール１０の裏面Ｑ（第２主面）の方から見た構成を示す斜視図である。図３は、図１に含まれる太陽電池モジュール１０の外観図である。
【００１１】
図１〜図３に示すように、梱包材２０は、運搬または搬送する際に太陽電池モジュール１０が損傷しないように保護する機能を有し、太陽電池モジュール１０の縁部に沿って取り付けられた長尺部材であり、段ボールによって構成されている。また、梱包材２１は、梱包材２０と同様に段ボールによって構成されており、梱包材２０と向かい合うように太陽電池モジュールに取り付けられている。
【００１２】
図３に示すように、太陽電池モジュール１０は、太陽電池パネル１１と、当該パネルの端縁部に設置されるモジュールフレーム１３とを含んでいる。太陽電池パネル１１は、斜辺１１ａ（第１辺）および短辺１１ｂ（第２辺）のなす角部Ｃ１（第１角部）が鈍角である平面視略多角形状のパネルである。本実施形態では、太陽電池パネル１１が平面視略五角形状を呈し、複数の太陽電池セル１２がガラス基板等の２枚の保護部材および封止材として機能する２枚の樹脂シートで挟持された構造を有している。
【００１３】
太陽電池モジュール１０は、太陽電池パネル１１の形状に対応して平面視略五角形状を有している。太陽電池モジュール１０は、例えば、平面視略矩形形状の一般的なモジュールと共に寄棟屋根、方形屋根等に取り付けられ、太陽光発電装置を構成する。太陽光発電装置は、屋根の桁方向に沿った太陽電池モジュールの列を備え、その列の両端に太陽電池モジュール１０がそれぞれ設けられている。太陽電池モジュール１０を含む太陽光発電装置は、平面視略矩形形状の太陽電池モジュールのみを用いた場合にはモジュールを設置できない屋根の桁方向の端部近傍のスペースを有効活用できる。太陽電池モジュール１０は、例えば上記列の両端でそれぞれ向きを変えて屋根に取り付けられている。
【００１４】
図３に示すように、太陽電池パネル１１は、例えば、斜辺１１ａと鈍角である角部Ｃ２（第２角部）を形成する短辺１１ｃ（第３辺）をさらに含んでいる。本実施形態では、上述した角部Ｃ１，Ｃ２はいずれも約１３５°である。また、太陽電池パネル１１は、短辺１１ｂとなす角部Ｃ３（第３角部）が略直角である長辺１１ｄ（第５辺）と、短辺１１ｃとなす角部Ｃ４および長辺１１ｄとなす角部Ｃ５がいずれも略直角である長辺１１ｅ（第４辺）とを有している。さらに、短辺１１ｂと短辺１１ｃ、及び長辺１１ｄと長辺１１ｅは互いに略同一の長さを有し、斜辺１１ａが辺１１ｄ，１１ｅに対して約４５°の角度で傾斜していることが好ましい。この場合、上記太陽電池モジュールの列の両端に配置される太陽電池モジュール１０の太陽電池パネル１１に、同じガラス基板、樹脂シート等を使用することができ、部材の共通化による管理負担の軽減等を図ることができる。
【００１５】
図３に示すように、モジュールフレーム１３は、太陽電池パネル１１の端縁部を保護し、例えば、太陽電池モジュール１０の屋根への固定に利用される部材である。モジュールフレーム１３は、斜辺１１ａに沿って配置された斜辺フレーム１３ａ、短辺１１ｂ，１１ｃに沿って配置された短辺フレーム１３ｂ，１３ｃおよび長辺１１ｄ，１１ｅに沿って配置された長辺フレーム１３ｄ，１３ｅを含んでいる。
【００１６】
以下、図４および図５をさらに参照しつつ梱包材２０について詳説する。図４は、梱包材２０を展開させた状態を示す図である。図５は、図２に示す領域Ａの部分拡大図である。
【００１７】
図４および図５に示すように、梱包材２０は、太陽電池モジュール１０の図３に示す受光面Ｐの縁部を覆う第１壁部２２と、太陽電池モジュールの図２に示す裏面Ｑの縁部を覆う第２壁部２５と、第１壁部２２と第２壁部２５との間に設けられ、太陽電池モジュール１０の側面を覆う側壁部２７とを備えている。
【００１８】
第１壁部２２は、斜辺１１ａおよび短辺１１ｂのなす角部Ｃ１に対応する位置に切り込みＬ１，Ｌ２が形成されている。第１壁部２２は、切り込みＬ１，Ｌ２によって太陽電池モジュール１０の斜辺１１ａに沿って受光面Ｐを覆う斜辺カバー部２２ａと、短辺１１ｂに沿って受光面Ｐを覆う短辺カバー部２２ｂとに分離されている。さらに、第１壁部２２は、斜辺１１ａおよび短辺１１ｃのなす角部Ｃ２に対応する位置に切り込みＬ３，Ｌ４が形成されている。第１壁部２２は、切り込みＬ３，Ｌ４によって短辺１１ｃに沿って受光面Ｐを覆う短辺カバー部２２ｃが斜辺カバー部２２ａから分離されている。
【００１９】
図４に示すように、短辺カバー部２２ｂには、長手方向Ｘの外側に固定片２３（第１固定片）を隣接して設けることが好ましい。また、短辺カバー部２２ｃの長手方向Ｘの外側に固定片２４（第２固定片）を隣接して設けることも好ましい。以下において、固定片２４は固定片２３と同一の構成を備えるため、固定片２３についてのみ説明を行い、固定片２４については適宜説明を省略する。
【００２０】
図５に示すように、固定片２３は、太陽電池モジュール１０の裏面Ｑの方へ長辺フレーム１３ｄに沿って折り曲げて長辺１１ｄを包み込むように構成されている。固定片２３は、図３および図４に示すように、長辺フレーム１３ｄを覆う側面部２３ａと裏面Ｑを覆う下面部２３ｂとから構成されている。固定片２３の側面部２３ａと第１壁部２２の短辺カバー部２２ｂの境界に沿って折り筋線Ｂ１が幅方向Ｙに沿って形成されている。固定片２３の側面部２３ａと下面部２３ｂとの境界に沿って折り筋線Ｂ２が幅方向Ｙに沿って形成されている。
【００２１】
また、固定片２３は、係止用の突起部２３ｃが先端に設けられており、第２壁部２５の後段にて詳述する係止用孔に係止させて固定させることができる。固定片２４も同様に長辺フレーム１３ｅに沿って裏面Ｑの方に折り曲げて長辺１１ｅを包み込むように構成されている。これにより、梱包材２０の両端が長辺１１ｄ，１１ｅに係止されるため、太陽電池モジュール１０から梱包材２０が脱落するのを防止できる。
【００２２】
図４に示すように、第２壁部２５は、第１壁部２２と同様に、角部Ｃ１に対応する位置に切り込みＬ５，Ｌ６が形成されている。第２壁部２５は、切り込みＬ５，Ｌ６によって太陽電池モジュール１０の斜辺１１ａに沿って裏面Ｑを覆う斜辺カバー部２５ａ（第１部分）と、短辺１１ｂに沿って裏面Ｑを覆う短辺カバー部２５ｂ（第２部分）とに分離されている。さらに、第２壁部２５は、角部Ｃ２に対応する位置に切り込みＬ７，Ｌ８が形成されている。第２壁部２５は、切り込みＬ７，Ｌ８によって短辺１１ｃに沿って裏面Ｑを覆う短辺カバー部２５ｃ（第３部分）が斜辺カバー部２５ａから分離されている。短辺カバー部２５ｂ，２５ｃの構成は同一であるため短辺カバー部２５ｂについてのみ以下において説明する。
【００２３】
短辺カバー部２５ｂは、上述した固定片２３の突起部２３ｃを固定するための係止用孔Ｈが設けられている。係止用孔Ｈは、略矩形形状に短辺カバー部２５ｂを切り取って形成されている。
【００２４】
本実施形態では、第１壁部２２が受光面Ｐを覆い、第２壁部２５が裏面Ｑを覆うように太陽電池モジュール１０に梱包材２０を取り付けているが、反対に、第１壁部２２が裏面Ｑを覆い、第２壁部２５が受光面Ｐを覆うように梱包材２０を取り付けてもよい。
【００２５】
図４に示す側壁部２７は、各フレーム１３ａ〜１３ｅ（図３参照）によって構成される太陽電池モジュール１０の側面を覆う役割を有している。側壁部２７は、斜辺１１ａに沿って側面を覆う斜辺カバー部２７ａと、短辺１１ｂ，１１ｃに沿って側面を覆う短辺カバー部２７ｂ，２７ｃとを有している。側壁部２７は、長手方向Ｘの両端に突出片２８ａ，２８ｂを設けてもよい。突出片２８ａ，２８ｂは、太陽電池モジュール１０を梱包する際に、長辺フレーム１３ｄ，１３ｅと固定片２３，２４との間に挟み込まれる。これにより、固定片２３，２４と長辺フレーム１３ｄ，１３ｅとの隙間を埋めて固定片２３，２４を長辺フレーム１３ｄ，１３ｅに密着状態で固定できる。側壁部２７は、図４に示すように、第１壁部２２との間に折り筋線Ｂ３が長手方向Ｘに沿って形成されている。同様に、側壁部２７は、第２壁部２５との間に折り筋線Ｂ４が形成されている。また、側壁部２７の斜辺カバー部２７ａと短辺カバー部２７ｂとの間には折り筋線Ｂ５が幅方向Ｙに沿って形成されている。同様に、側壁部２７の斜辺カバー部２７ａと短辺カバー部２７ｃとの間には折り筋線Ｂ６が形成されている。
【００２６】
以下、図６をさらに参照しながら、梱包材２０の切り込みＬ１〜Ｌ４の構成について詳説する。図６（ａ）は図２に示す領域Ａの第１壁部２２を折り曲げる前の状態を示し、同図（ｂ）は第１壁部２２を折り曲げる途中の状態を示し、同図（ｃ）は第１壁部２２を完全に折り曲げた状態を示す図である。
【００２７】
図６（ａ）〜図６（ｃ）に示すように、切り込みＬ１，Ｌ２は、第１壁部２２の全幅に亘って設けられており、短辺カバー部２２ｂを斜辺カバー部２２ａから分離させている。また、切り込みＬ１，Ｌ２は、長手方向Ｘに対して傾斜して設けることが好適である。より具体的には、切り込みＬ１，Ｌ２が折り筋線Ｂ３に対してなす角度αは、斜辺１１ａおよび短辺１１ｂのなす角部Ｃ１（図３参照）の角度をβとしたときに、以下の式（１）の関係を満たすことが好ましい。
【００２８】
α＝１８０°−β・・・・・・・・・・・・・・・・・・・・・・・・・・・・（１）
【００２９】
本実施形態では、角部Ｃ１の角度βが１３５°であるため、角度αは４５°に設定すればよい。このように角度αを設定して、図６（ｂ）に示す第１壁部２２の短辺カバー部２２ｂが斜辺カバー部２２ａの外側に重なるように折り筋線Ｂ５（図４参照）に沿って側壁部２７を折り曲げる。そうすると、同図（ｃ）に示すように、斜辺カバー部２２ａの切り込みＬ２が側壁部２７の短辺カバー部２７ｂ（図４参照）に沿った位置まで回転したときの曲げ角ａが太陽電池モジュール１０の角部Ｃ１の角度に一致する。このため、梱包材２０の側壁部２７を太陽電池モジュール１０の斜辺１１ａおよび短辺１１ｂにしっかりフィットする位置まで折り曲げることができる。
【００３０】
切り込みＬ３，Ｌ４は、切り込みＬ１，Ｌ２と反対方向に傾斜し、切り込みＬ１，Ｌ２と同様に折り筋線Ｂ３に対してなす角度が１８０°から角部Ｃ２の角度を差し引いた角度となるように設けることが好適である（図３及び図４参照）。
【００３１】
次に、図７を参照しながら梱包材２０の切り込みＬ５〜Ｌ８の構成について詳説する。
図７（ａ）は図２に示す領域Ａの第２壁部２５を折り曲げる前の状態を示し、同図（ｂ）は第２壁部２５を折り曲げる途中の状態を示し、同図（ｃ）は第２壁部２５を完全に折り曲げた状態を示す図である。
【００３２】
図７（ａ）〜図７（ｃ）に示すように、切り込みＬ５，Ｌ６は、第２壁部２５の全幅に亘って設けることが好ましい。切り込みＬ５，Ｌ６は、図４に示すように、側壁部２７の折り筋線Ｂ４となす角度γを上述した角度αと同様に設定することが好適である。
【００３３】
第２壁部２５は、短辺カバー部２５ｂの切り込みＬ５の一部を舌片状に突出させて突出部２９を形成し、折り筋線Ｂ５に沿って側壁部２７を折り曲げたときに突出部２９を差し込む差込口３１を斜辺カバー部２５ａに設けることが好ましい。これにより、図１に示すように、梱包材２０の側壁部２７が太陽電池モジュール１０の斜辺１１ａおよび短辺１１ｂにしっかりフィットする折り曲げ状態で固定できる。
【００３４】
切り込みＬ７，Ｌ８は、切り込みＬ５，Ｌ６と反対方向に傾斜し、切り込みＬ５，Ｌ６と同様に折り筋線Ｂ４となす角度が１８０°から角部Ｃ２の角度を差し引いた角度となるように設定することが好適である（図３及び図４参照）。
【００３５】
続いて、図８をさらに参照しつつ梱包材２０の太陽電池モジュール１０への取り付け手順について説明する。図８は、梱包材２０の太陽電池モジュール１０への取り付け手順を模式的に示す図である。
【００３６】
最初に、第１壁部２２および第２壁部２５を折り筋線Ｂ３，Ｂ４に沿って折り曲げて、梱包材２０を略Ｕ字状とする。次に、図６（ａ）〜図６（ｃ）および図７（ａ）〜図７（ｃ）に示すように、梱包材２０の側壁部２７の短辺カバー部２７ｂ，２７ｃを折り筋線Ｂ５，Ｂ６に沿って折り曲げる。そして、第２壁部２５の短辺カバー部２５ｂの突出部２９を差込口３１に差し込んで固定する。第２壁部２５の短辺カバー部２５ｃについても同様に折り曲げて固定する。
【００３７】
図８に示すように、略Ｕ字状に折り曲げられた梱包材２０を太陽電池モジュール１０の斜辺フレーム１３ａおよび短辺フレーム１３ｂ，１３ｃに取り付ける。最後に、梱包材２０の固定片２３を折り筋線Ｂ１，Ｂ２に沿って折り曲げ、突起部２３ｃを係止用孔Ｈ（図５参照）に差し込んで固定する。反対側の固定片２４も固定片２３と同様の手順で固定し、太陽電池モジュール１０への取り付け作業が完了する。
【００３８】
上記実施形態に係る梱包材２０は、互いに鈍角をなす斜辺１１ａ，短辺１１ｂ，１１ｃに沿わせつつ梱包材２０を取り付けることができる。このため、太陽電池モジュール１０の各辺１１ａ〜１１ｃを梱包材２０だけで梱包することができ、梱包材の部品点数を低減することができる。
【００３９】
上記実施形態では、梱包材２０は、太陽電池モジュール１０の３つの辺１１ａ〜１１ｃに沿って折り曲げられるように長手方向Ｘの両端側に切り込みＬ１〜Ｌ８を設ける例を挙げているが、長手方向Ｘの一端側にだけ切り込みを設けるようにしてもよい。この場合には、太陽電池モジュール１０の鈍角をなす２辺を梱包することができる。
【符号の説明】
【００４０】
１０  太陽電池モジュール、１１  太陽電池パネル、１１ａ  斜辺、１１ｂ，１１ｃ  短辺、１１ｄ，１１ｅ  長辺、１３  モジュールフレーム、１３ａ  斜辺フレーム、１３ｂ，１３ｃ  短辺フレーム、１３ｄ，１３ｅ  長辺フレーム、２０  梱包材、２２  第１壁部、２２ａ  斜辺カバー部、２２ｂ，２２ｃ  短辺カバー部、２３，２４  固定片、２５  第２壁部、２５ａ  斜辺カバー部、２５ｂ，２５ｃ  短辺カバー部、２７  側壁部、２７ａ  斜辺カバー部、２７ｂ，２７ｃ  短辺カバー部、２９  突出部、３１  差込口、Ｂ１〜Ｂ６  折り筋線、Ｃ１〜Ｃ５  角部、Ｈ  係止用孔、Ｌ１〜Ｌ８  切り込み、Ｐ  受光面、Ｑ  裏面、Ｘ  長手方向、Ｙ  幅方向、α，β，γ  角度。
【図１】
0006583681.tif 000002
【図２】
0006583681.tif 000003
【図３】
0006583681.tif 000004
【図４】
0006583681.tif 000005
【図５】
0006583681.tif 000006
【図６】
0006583681.tif 000007
【図７】
0006583681.tif 000008
【図８】
0006583681.tif 000009